(57)【特許請求の範囲】
【請求項１】
既設の地下構造物用蓋の受枠周囲の舗装及び前記既設の地下構造物用蓋の受枠を撤去する工程と、
既設の地下構造物用の下桝の側壁に装着孔を削孔する工程と、
一端が前記装着孔に挿入可能であるとともに、他端が前記既設の地下構造物用の下桝の上面よりも上方に位置して前記既設の地下構造物用の下桝の鉛直方向に立設するよう予め曲げ加工された曲げボルトを、前記既設の地下構造物用の下桝に固定する工程と、
新設する地下構造物用蓋の受枠を、その上面を周辺の舗装の高さに合わせて設置し、前記曲げボルトと緊結固定する工程と、
前記新設する地下構造物用蓋の受枠の下面と前記既設の地下構造物用の下桝の上面との間の空間に据付基礎を構築し、前記新設する地下構造物用蓋の受枠の周囲の空洞部に舗装材を打設する工程と、
を有することを特徴とする地下構造物用蓋の取替工法。
【請求項２】
前記既設の地下構造物用蓋の受枠周囲の舗装及び前記既設の地下構造物用蓋の受枠を撤去する工程と、前記既設の地下構造物用の下桝の側壁に装着孔を削孔する工程との間に、
前記既設の地下構造物用の下桝を周方向に切断する工程を有する請求項１に記載の地下構造物用蓋の取替工法。
【請求項３】
前記曲げボルトとして、前記既設の地下構造物用の下桝の側壁面に沿う形状に曲げ加工された側壁対応部を有する曲げボルトを使用する請求項１又は２に記載の地下構造物用蓋の取替工法。
【発明の詳細な説明】
【技術分野】
【０００１】
本発明は、地下構造物用の下桝の開口部上に設置されている既設の地下構造物用蓋を撤去し、新設の地下構造物用蓋を設置するための地下構造物用蓋の取替工法に関する。
【０００２】
なお、本願明細書でいう「下桝」とは、その開口部を地表に向けて竪穴状に構築される下水道のマンホール、汚水桝、上水道及びガスの地中弁室、地中に横穴状に延設されるカルバート、共同溝、洞道、あるいは地中に設置される箱状の上水道及びガスのバルブピット、電気通信のブロックマンホール等を総称する。
【０００３】
また、本願明細書でいう「地下構造物用蓋」とは、上記各下桝の開口部上に配置され、下桝内部と地上とを連通する受枠と、この受枠によって支持され、前記開口部を開閉可能に閉塞する蓋本体とを有するマンホール蓋、大型鉄蓋、汚水桝蓋、共同溝用鉄蓋、送電用鉄蓋、配電用鉄蓋、消火栓蓋、制水弁蓋、仕切弁蓋、空気弁蓋、ガス配管用蓋、量水器蓋等を総称する。
【背景技術】
【０００４】
近年、地下構造物用蓋を下桝の開口部上に設置する際に、下桝の上面にアンカーを打ち込んだり、予めインサートナットを配した下桝を用いるなどし、ボルトを立設して、受枠と下桝とを上記ボルトで一体に緊結固定する安全対策を施すことが行われてきている（例えば特許文献１）。
【０００５】
例えば、地下構造物が下水道管路施設である場合、下水の排除方式によって、汚水と雨水とを同一の管路で排除する合流式下水道と、汚水と雨水とを別々の管路で排除する分流式下水道とに分類されるが、特に、前者の合流式下水道においては、集中豪雨に見舞われた場合、大量の雨水が下水道管路に一気に流入する。このため、地下構造物（下桝）と地下構造物用蓋（受枠）とをボルトで一体に緊結固定することにより、管路内の空気圧力が局所的に急激に上昇したり、あるいは雨水そのものが急激に上昇し、それに伴う空気圧力の上昇によって、地下構造物（下桝）の上端部に設置されている地下構造物用蓋（受枠）が外れて飛散することを防止している。
【０００６】
また、下水道管路施設以外の地下構造物であっても、地下構造物用蓋の周辺の舗装路面が、大型車両の走行による振動や経年劣化等による沈下又は破損により、地下構造物（下桝）から地下構造物用蓋が受枠ごと外れて飛散する虞があり、地下構造物用蓋（受枠）と地下構造物（下桝）とをボルトで一体に緊結固定することが行われるようになってきている。
【０００７】
このような受枠と下桝とのボルト緊結固定は、地下構造物用蓋を新設する場合のほか、老朽化又は破損した地下構造物用蓋を取り替える場合にも行われ、その取替工法として、種々の工法が検討されている（例えば特許文献２、特許文献３）。
【先行技術文献】
【特許文献】
【０００８】
【特許文献１】特開２００５−００９２６５号公報
【特許文献２】特開２００６−２３３７５４号公報
【特許文献３】特開２００５−２２０７３３号公報
【発明の概要】
【発明が解決しようとする課題】
【０００９】
上記の特許文献１〜３に記載されているように、受枠と下桝とを緊結固定するためのボルトを、下桝の上面から立設させることが可能である場合は問題なくボルト緊結固定することが可能であるが、既設の下桝の上面にボルトを立設させるためのインサートナットがない場合や、下桝の上面の幅が狭いことや、下桝の上面が劣化して強度がないことにより、雌ネジを形成したアンカーナットを下桝の上面に打ち込むことができない場合には、下桝ごと取り替える必要があり、多大なコストと労力を要するという問題があった。
【００１０】
本発明は、上記の問題点に鑑みてなされたものであり、下桝の上面にボルトを立設させることが困難な場合であっても、既設の下桝を利用して、受枠と下桝とをボルト緊結固定することが可能な、地下構造物用蓋の取替工法を提供することを目的とする。
【課題を解決するための手段】
【００１１】
本発明の地下構造物用蓋の取替工法は、既設の地下構造物用蓋の受枠周囲の舗装及び前記既設の地下構造物用蓋の受枠を撤去する工程と、既設の地下構造物用の下桝の側壁に装着孔を削孔する工程と、一端が前記装着孔に挿入可能であるとともに、他端が前記既設の地下構造物用の下桝の上面よりも上方に位置して前記既設の地下構造物用の下桝の鉛直方向に立設するよう予め曲げ加工された曲げボルトを、前記既設の地下構造物用の下桝に固定する工程と、新設する地下構造物用蓋の受枠を、その上面を周辺の舗装の高さに合わせて設置し、前記曲げボルトと緊結固定する工程と、前記新設する地下構造物用蓋の受枠の下面と前記既設の地下構造物用の下桝の上面との間の空間に据付基礎を構築し、前記新設する地下構造物用蓋の受枠の周囲の空洞部に舗装材を打設する工程と、を有することを特徴とするものである。
【００１２】
このように、曲げボルトを、既設の地下構造物用の下桝の側壁に設けた装着孔を利用して上記下桝に固定することで、下桝の上面にボルトを立設させることが困難な場合であっても、既存の下桝を利用して、受枠と下桝とをボルト緊結固定することが可能となる。
【００１３】
本発明の取替工法は、前記既設の地下構造物用蓋の受枠周囲の舗装及び前記既設の地下構造物用蓋の受枠を撤去する工程と、前記既設の地下構造物用の下桝の側壁に装着孔を削孔する工程との間に、前記既設の地下構造物用の下桝を周方向に切断する工程を有するものとすることができる。これにより、既設の受枠の高さが低く、新設する受枠が高い場合等においても、既設の地下構造物用の下桝を周方向に切断し、既設の下桝の高さを低くすることにより、既設の下桝を取り替えることなく、地下構造物用蓋の取替及びボルト緊結固定を行うことができる。
【００１４】
本発明の取替工法では、曲げボルトとして、前記既設の地下構造物用の下桝の側壁面に沿う形状に曲げ加工された側壁対応部を有する曲げボルトを使用することが好ましい。このように側壁対応部を有する曲げボルトを使用することで、曲げボルトを下桝に強固に固定することができる。
【発明の効果】
【００１５】
本発明の地下構造物用蓋の取替工法によれば、下桝の上面にボルトを立設させることが困難な場合であっても、既存の下桝を利用して、受枠と下桝とをボルト緊結固定することができる。
【図面の簡単な説明】
【００１６】
【図１】本発明の取替工法（実施形態１）において、最初の工程として既設の地下構造物用蓋の受枠周囲の舗装に切込みを入れた状態を示す断面図である。
【図２】本発明の取替工法（実施形態１）において、既設の地下構造物用蓋（受枠）を撤去後、新設する地下構造物用蓋の受枠を設置した状態を示し、（ａ）は平面図、（ｂ）は（ａ）のＡ−Ａ’断面図である。
【図３】本発明の取替工法（実施形態１）において、新設する受枠を設置後、その受枠の下面と下桝の上面との間の空間に据付基礎を構築し、新設する受枠の周囲の空洞部に舗装材を打設した状態を示す断面図である。
【図４】本発明の取替工法（実施形態１）において、下桝の側壁に装着孔を削孔するために使用する削孔装置の使用状態を示す斜視図である。
【図５】本発明の取替工法において、新設する受枠の下面と下桝の上面との間の空間に据付基礎を構築する他の実施形態（実施形態２）を示す断面図である。
【図６】本発明の取替工法において、新設する受枠の下面と下桝の上面との間の空間に据付基礎を構築する更に他の実施形態（実施形態３）を示す断面図である。
【図７】図６に示す本発明の実施形態３において、据付基礎及び新設する受枠の周囲の空洞部に舗装材を打設した状態を示す断面図である。
【図８】本発明の取替工法において、新設する受枠の下面と下桝の上面との間の空間に据付基礎を構築する更に他の実施形態（実施形態４）を示す断面図である。
【図９】本発明の取替工法（実施形態５）において、既設の受枠を撤去した後に下桝の上部を周方向に切断した状態を示す断面図である。
【図１０】本発明の取替工法（実施形態５）において、上部を周方向に切断した下桝に径調整リング１１０を設置した状態を示し、（ａ）は平面図、（ｂ）は（ａ）のＡ−Ａ’断面図である。
【図１１】本発明の取替工法（実施形態５）において、新設する受枠を設置した状態を示す断面図である。
【発明を実施するための形態】
【００１７】
以下、図面を参照して本発明の実施の形態を説明する。
【００１８】
（実施形態１）
図１は、本発明の取替工法において、最初の工程として既設の地下構造物用蓋の受枠周囲の舗装に切込みを入れた状態を示す断面図である。
【００１９】
既設の地下構造物用蓋１０は、受枠１１と受枠１１に開閉可能に支持された蓋本体１２とを有し、地中に埋設されている既設の地下構造物用の下桝２０の開口部上に設置されている。
【００２０】
この既設の地下構造物用蓋１０を取り替えるにあたり、まず、既設の地下構造物用蓋１０の受枠１１周囲の舗装３０に切込み３１を入れる。本実施形態において切込み３１は球面状をなす。このような球面状の切込み３１は、特許第４０３０９１５号公報等により公知の球面状ブレードを有する路面カッター装置を用いて形成することができる。舗装３０に切込み３１を入れたら、切込み３１内側の舗装３０（既設の地下構造物用蓋の受枠周囲の舗装）及び既設の地下構造物用蓋１０（受枠１１）を撤去する。
【００２１】
図２は、本発明の取替工法において、既設の地下構造物用蓋１０（受枠１１）を撤去後、新設する地下構造物用蓋の受枠４１を設置した状態を示し、（ａ）は平面図、（ｂ）は（ａ）のＡ−Ａ’断面図である。
【００２２】
既設の地下構造物用蓋１０（受枠１１）を撤去後、新設する地下構造物用蓋の受枠４１を設置するため、まず、既設の地下構造物用の下桝２０の側壁に装着孔２１を削孔する。次に、曲げボルト５０，５１の一端を装着孔２１に挿入し、下桝２０に固定する。
【００２３】
曲げボルト５０は下桝２０の直壁部に固定され、曲げボルト５１は下桝２０の斜壁部に固定される。具体的には、曲げボルト５１は、下桝２０の斜壁部２０aの中央（図２（ａ）の平面図におけるＡ’の線上。以下、同じ）に固定され、曲げボルト５０は、曲げボルト５１を基準として周方向に１２０°の位置の直壁部に固定される。これらの曲げボルト５０，５１は、一端が装着孔２１に挿入可能であるとともに、他端が下桝２０の上面よりも上方に位置して下桝２０の鉛直方向に立設するよう予め曲げ加工されている。また、曲げボルト５０は、下桝２０の直壁面に沿う形状に曲げ加工された側壁対応部５０ａを有し、曲げボルト５１は、下桝２０の斜壁面に沿う形状に曲げ加工された側壁対応部５１ａを有する。
【００２４】
曲げボルト５０は、その一端を装着孔２１に貫通させ、ナット５０ｂを螺合することにより下桝２０に固定される。また、曲げボルト５１も、その一端を装着孔２１に貫通させ、ナット５１ｂを螺合することにより下桝２０に固定される。ただし、曲げボルト５１の固定においては、下桝２０の斜壁面に対応するため、ナット５１ｂと下桝２０の斜壁面との間にテーパプレート５１ｃを介在させている。曲げボルト５０，５１を下桝２０に固定した状態では、図２（ｂ）に示すように、それぞれの側壁対応部５０ａ，５１ａが下桝２０の側壁面に沿うように位置するので、曲げボルト５０ａ，５１ａを下桝２０に強固に安定して固定することができる。
【００２５】
曲げボルト５０，５１を下桝２０に固定した後、曲げボルト５０，５１のそれぞれに嵩調整具６０を螺合させる。この嵩調整具６０には、その中央のボルト挿通孔にナットがインサート成形されており、曲げボルト５０，５１との間で螺合位置を調整できるようになっている。次に、新設する受枠４１のフランジに設けられたアンカー孔に曲げボルト５０，５１の他端を挿通させ、受枠４１を嵩調整具６０の上に戴置させ、嵩調整することにより受枠４１の上面の高さを周辺の舗装３０の高さに合わせる。続いて、固定ブロック６１を曲げボルト５０，５１に装着固定することにより、受枠４１と曲げボルト５０，５１とを緊結固定する。
【００２６】
図３は、本発明の取替工法において、新設する受枠４１を設置後、その受枠４１の下面と下桝２０の上面との間の空間に据付基礎を構築し、新設する受枠４１の周囲の空洞部に舗装材を打設した状態を示す断面図である。
【００２７】
新設する受枠４１の下面と下桝２０の上面との間の空間に据付基礎を構築するため、本実施形態では、受枠４１の内周に沿って、受枠４１の内周面及びその下方の下桝２０の内周面を跨ぐように内枠７０を配置する。この内枠７０は、常時は帯状で使用時に円筒状に変形させることができる可撓性を有するものであり、本実施形態では発泡ポリスチレンの帯状材を用いた。
【００２８】
次に、受枠４１の下面と下桝２０の上面との間の空間及び受枠４１の周囲の空洞部に行き渡るように無収縮モルタルＭを充填する。これにより、新設する受枠４１の下面と下桝２０の上面との間の空間に据付基礎８０が構築されるとともに、新設する受枠４１の周囲の空洞部の下層部に下層舗装３２が構築される。その後、下層舗装３２の上に表層用モルタルあるいは加熱合材を、周囲の舗装３０と同一高さになるように打設して表層舗装３３を構築する。その後、内枠７０を撤去する。
【００２９】
ここで、本実施形態において、下桝２０の側壁に装着孔２１を削孔するために使用する削孔装置の一例を説明する。図４は、その削孔装置の使用状態を示す斜視図である。
【００３０】
図４に示す削孔装置２００は、固定具２０１を介して下桝２０の開口部の直径方向に架け渡されるラック２０２と、このラック２０２に、その長手方向（下桝２０の開口部の直径方向）に沿ってスライド可能に装着された削孔ドリル２０３とを有する。
【００３１】
本実施形態において装着孔２１は、図２に示すように、下桝２０の斜壁部２０ａの中央に１箇所と、これを基準として周方向に１２０°の位置の直壁部２０ｂに２箇所の合計３箇所に削孔される。
【００３２】
図４は、装着孔を下桝２０の斜壁部の中央に設けるときの状態を示している。下桝２０の斜壁部の中央は、下桝２０の直壁部の中央に設けられているステップ３００と対向する位置であるので、斜壁部の中央と直壁部の中央との間に跨って、図４に示すように削孔装置２００を下桝２０に装着する。この状態で、削孔ドリル２０３を前進させることにより、下桝２０の斜壁部の中央に装着孔を削孔する。
【００３３】
一方、直壁部に削孔される装着孔は、斜壁部中央の装着孔を基準として周方向に１２０°の位置に削孔されるが、その位置を簡単に把握するため、図４の例では、マーキング治具２０４を使用する。このマーキング治具２０４は、その長手方向中央位置がラック２０２に装着できるようになっている。そして、マーキング治具２０４をラック２０２に装着したときに、その両端が、斜壁部中央の装着孔を基準として周方向に１２０°の位置に来るように長さが設定されている。したがって、図４の状態でマーキング治具２０４の両端が位置する箇所にマーキングをすれば、直壁部に削孔する装着孔の位置を簡単に把握することができる。そして、そのマーキングを目印として、直壁部に削孔する装着孔の位置と整合するように削孔装置２００を装着し直し、装着孔を削孔する。
【００３４】
なお、装着孔は、上述の削孔装置２００を使用しなくとも、例えば、市販の削孔用のドリルを使用することにより削孔することもできる。
【００３５】
また、上述の削孔装置２００やマーキング治具２０４を使用しなくとも、新設する受枠のフランジに設けたアンカー孔に合わせて１２０°位置ごとにボルト挿通孔を穿孔した敷き鉄板またはリング状の治具を使用することもできる。これにより、装着孔の削孔位置の割り出しを簡単に行うことができ、また、曲げボルト５０，５１を新設する受枠のフランジに設けたアンカー孔の径にあわせて垂直に立設させることができる。
【００３６】
（実施形態２）
図５は、本発明の取替工法において、新設する受枠４１の下面と下桝２０の上面との間の空間に据付基礎を構築する他の実施形態を示す断面図である。
【００３７】
本実施形態では、内枠７０に加え外枠９０を使用する。外枠９０は、新設する受枠４１のフランジの外周に沿って配置される。外枠９０は、内枠７０と同様に、常時は帯状で使用時に円筒状に変形させることができる可撓性を有するものであり、本実施形態では発泡ポリスチレンの帯状材を用いた。
【００３８】
本実施形態では、内枠７０と外枠９０との間の空間に無収縮モルタルＭを充填することで、受枠４１の下面と下桝２０の上面との間の空間に据付基礎８０を構築する。その後、内枠７０及び外枠９０を撤去し、受枠４１の周囲の空洞部に舗装材を打設する。舗装材の種類は特に限定されず、例えば、下層舗装材として路盤材を打設し、表層舗装材として表層用モルタルあるいは加熱合材を打設することができる。
【００３９】
（実施形態３）
図６は、本発明の取替工法において、新設する受枠４１の下面と下桝２０の上面との間の空間に据付基礎を構築する更に他の実施形態を示す断面図である。
【００４０】
本実施形態では、受枠４１の下面と下桝２０の上面との間の空間に据付基礎の一部として高さ調整リング１００を設置する。
【００４１】
すなわち、本実施形態では、先の実施形態１と同じ要領で曲げボルト５０，５１を下桝２０に固定した後、高さ調整リング１００に設けられた貫通孔に曲げボルト５０，５１の他端を挿通させ、高さ調整リング１００を下桝２０上に設置する。
【００４２】
次に、先の実施形態１と同じ要領で、嵩調整具６０を使用して受枠４１の上面の高さを周辺の舗装３０の高さに合わせ、続いて、固定ブロック６１を曲げボルト５０，５１に装着固定することにより、受枠４１と曲げボルト５０，５１とを緊結固定する。
【００４３】
その後、図７に示すように、先の実施形態１と同じ要領で、受枠４１の内周に沿って内枠７０を配置し、受枠４１の下面と高さ調整リング１００の上面との間の空間及び受枠４１の周囲の空洞部に行き渡るように無収縮モルタルＭを充填する。これにより、新設する受枠４１の下面と下桝２０の上面との間の空間に高さ調整リング１００と無収縮モルタルＭとからなる据付基礎８０が構築されるとともに、新設する受枠４１の周囲の空洞部の下層部に下層舗装３２が構築される。その後、下層舗装３２の上に表層用モルタルあるいは加熱合材を、周囲の舗装３０と同一高さになるように打設して表層舗装３３を構築する。その後、内枠７０を撤去する。
【００４４】
なお、本実施形態のように高さ調整リング１００を使用する形態では、その高さ調整リング１００上に受枠４１を載置するだけで、受枠４１の上面の高さが周辺の舗装３０の高さに一致する場合、嵩調整具６０の使用を省略することができる。
【００４５】
（実施形態４）
図８は、本発明の取替工法において、新設する受枠４１の下面と下桝２０の上面との間の空間に据付基礎を構築する更に他の実施形態を示す断面図である。
【００４６】
本実施形態は、先の実施形態３の変形例であって、内枠７０に加え外枠９０を使用するものである。外枠９０は、新設する受枠４１のフランジの外周に沿って、受枠４１のフランジの外周面及びその下方の高さ調整リング１００の外周面を跨ぐように配置される。そして、内枠７０と外枠９０との間の空間に無収縮モルタルＭを充填することで、受枠４１の下面と下桝２０の上面との間の空間に高さ調整リング１００と無収縮モルタルＭとからなる据付基礎８０が構築される。その後、内枠７０及び外枠９０を撤去し、受枠４１の周囲の空洞部に舗装材を打設する。
【００４７】
（実施形態５）
本実施形態は、既設の地下構造物用蓋の受枠を撤去した後に、既設の地下構造物用の下桝を周方向に切断する工程を有するものである。
【００４８】
既設の受枠の高さが低く、新設する受枠が高い場合、そのままでは既設の下桝上に新設する受枠を設置することはできないことがある。そこで、本実施形態では、図９に示すように、既設の受枠を撤去した後に下桝２０の上部を周方向に切断し、新設する受枠を設置する高さ空間を確保するようにしている。
【００４９】
ただし、図９に示すように下桝２０が斜壁部２０ａを有する場合、下桝２０の上部を周方向に切断すると、下桝２０上部の開口部の径が大きくなり、その開口部上に新設する受枠を設置できなくなることがある。その対応として本実施形態では、図１０に示すように径調整リング１１０を使用する。
【００５０】
すなわち、本実施形態では、曲げボルト５２，５３を下桝２０の側壁に削孔した装着孔に固定した後、径調整リング１１０に設けられた貫通孔に曲げボルト５２，５３の他端を挿通させ、径調整リング１１０を下桝２０上に設置する。先の実施形態１では、曲げボルト５０，５１は下桝２０の外側の側壁面に沿って立ち上げるようにしたが、本実施形態では、下桝２０上部の切断による開口部の拡大に対応して、曲げボルト５２，５３は下桝２０の内側の側壁面に沿って立ち上げるようにした。なお、曲げボルト５２，５３の下桝２０径方向の長さは、新設する受枠のフランジに設けたアンカー孔に合わせて設定されるが、下桝２０に設けた装着孔への曲げボルト５２，５３の差し込み長さを変えることで、下桝２０径方向の長さを調整することもできる。
【００５１】
次に、図１１に示すように、先の実施形態１と同じ要領で、嵩調整具６０を使用して受枠４１の上面の高さを周辺の舗装３０の高さに合わせ、続いて、固定ブロック６１を曲げボルト５０，５１に装着固定することにより、受枠４１と曲げボルト５０，５１とを緊結固定する。その後、受枠４１の内周に沿って内枠７０を配置し、受枠４１の下面と径調整リング１１０の上面との間の空間及び受枠４１の周囲の空洞部に行き渡るように無収縮モルタルＭを充填する。これにより、新設する受枠４１の下面と下桝２０の上面との間の空間に径調整リング１１０と無収縮モルタルＭとからなる据付基礎８０が構築されるとともに、新設する受枠４１の周囲の空洞部の下層部に下層舗装３２が構築される。その後、下層舗装３２の上に表層用モルタルあるいは加熱合材を、周囲の舗装３０と同一高さになるように打設して表層舗装３３を構築する。その後、内枠７０を撤去する。
【００５２】
なお、本実施形態のように径調整リング１１０を使用する形態では、その径調整リング１１０上に受枠４１を載置するだけで、受枠４１の上面の高さが周辺の舗装３０の高さに一致する場合、嵩調整具６０の使用を省略することができる。
【００５３】
以上の実施形態では、下桝の側壁に削孔する装着孔を貫通孔としたが、装着孔は貫通孔ではなく有底の孔としてもよい。装着孔が有底の孔の場合、その装着孔に曲げボルトの一端を接着剤等を使用して固定すればよい。
【００５４】
また、以上の実施形態では、球面状ブレードを有する路面カッター装置を用いて球面状に切込みを入れるようにしたが、切込みの形状はこれに限定されず、例えば、円筒状や方形筒状としてもよい。
【００５５】
また、路面カッター装置を用いず、手工具により既設の地下構造物用蓋の受枠周囲の舗装を破砕し、舗装及び地下構造物用蓋の受枠を撤去するようにしてもよい。
【符号の説明】
【００５６】
１０  既設の地下構造物用蓋
１１  既設の受枠
１２  蓋本体
２０  下桝
２０ａ  斜壁部
２０ｂ  直壁部
２１  装着孔
３０  舗装
３１  切込み
３２  下層舗装
３３  表層舗装
４１  新設する受枠
５０，５１  曲げボルト
５０ａ，５１ａ  側壁対応部
５０ｂ，５１ｂ  ナット
５１ｃ  テーパプレート
５２，５３  曲げボルト
６０  嵩調整具
６１  固定ブロック
７０  内枠
８０  据付基礎
９０  外枠
１００  高さ調整リング
１１０  径調整リング
２００  削孔装置
２０１  固定具
２０２  ラック
２０３  削孔ドリル
２０４  マーキング治具
Ｍ  無収縮モルタル
【図１】
0005605916.tif 000002
【図２】
0005605916.tif 000003
【図３】
0005605916.tif 000004
【図４】
0005605916.tif 000005
【図５】
0005605916.tif 000006
【図６】
0005605916.tif 000007
【図７】
0005605916.tif 000008
【図８】
0005605916.tif 000009
【図９】
0005605916.tif 000010
【図１０】
0005605916.tif 000011
【図１１】
0005605916.tif 000012